(57)【要約】【課題】画像表示部と制御基板とが重層となる構成でも、制御基板を先に取り付けた後に、制御基板の前方に配置される画像表示部を組み付けることができる技術を提供する。【解決手段】遊技領域を有する遊技盤を備えた遊技機であって、遊技に関連する画像を表示する画像表示部と、遊技領域に対して画像表示部１１４と同じ側に配置されて遊技に関連する制御を行う中継基板４１とを備え、中継基板４１は、遊技盤の盤面に略直交する方向に遊技領域に対して画像表示部１１４よりも離れた位置において、画像表示部１１４と重層となる位置と重層とならない位置とに移動可能に遊技盤に組み付けられている。【選択図】図１３
2014193198.tif 000002
【特許請求の範囲】
【請求項１】
遊技領域を有する遊技盤を備えた遊技機であって、
遊技に関連する画像を表示する画像表示部と、
前記遊技領域に対して前記画像表示部と同じ側に配置されて遊技に関連する制御を行う制御基板と、
を備え、
前記制御基板は、前記遊技盤の盤面に略直交する方向に前記遊技領域に対して前記画像表示部よりも離れた位置において、当該画像表示部と重層となる位置と重層とならない位置とに移動可能に当該遊技盤に組み付けられていることを特徴とする遊技機。
【請求項２】
前記制御基板は、前記遊技盤の前記盤面に略平行な軸を中心に回転することで前記画像表示部と重層となる位置と重層とならない位置とに移動することを特徴とする請求項１に記載の遊技機。
【発明の詳細な説明】
【技術分野】
【０００１】
本発明は、パチンコ遊技機やスロットマシン等の遊技機に関する。
【背景技術】
【０００２】
従来、遊技機の遊技盤の後部には制御基板が取り付けられている。例えば、特許文献１に記載の遊技機の遊技盤は以下のように構成されている。すなわち、遊技盤の後側下部には、その中央部から下部にわたる部分において、各種入賞装置に流入した遊技球を受けかつその遊技球を所定位置まで導く集合樋としての機能とボックス装着部としての機能を兼ね備えたボックス装着台が設けられている。このボックス装着台には、音声制御基板、ランプ制御基板等の副制御基板が収納された副制御基板ボックスが装着され、その副制御基板ボックスの後側に重ね合わされた状態で、主制御基板が収納された主制御基板ボックスが装着されている。また、中央部には演出画像を表示する画像表示部が装着されている。
【先行技術文献】
【特許文献】
【０００３】
【特許文献１】特開２００７−１１７５４３号公報
【発明の概要】
【発明が解決しようとする課題】
【０００４】
例えば、演出画像を表示する画像表示部と重層となるように画像表示部の後方に制御基板を配置する構成が考えられる。そして、かかる構成である場合、制御基板を先に遊技板に取り付けた後に、画像表示部を組み付けることができる構成であることが望ましい。
本発明は、画像表示部と制御基板とが重層となる構成でも、制御基板を先に取り付けた後に、制御基板の前方に配置される画像表示部を組み付けることができる遊技機を提供することを目的とする。
【課題を解決するための手段】
【０００５】
上記の目的を達成する本発明は、遊技領域１１１ａを有する遊技盤１１０を備えた遊技機１００であって、遊技に関連する画像を表示する画像表示部１１４と、前記遊技領域１１１ａに対して前記画像表示部１１４と同じ側に配置されて遊技に関連する制御を行う制御基板４１と、を備え、前記制御基板４１は、前記遊技盤１１０の盤面に略直交する方向に前記遊技領域１１１ａに対して前記画像表示部１１４よりも離れた位置において、当該画像表示部１１４と重層となる位置と重層とならない位置とに移動可能に当該遊技盤１１０に組み付けられていることを特徴とする遊技機１００である。
【０００６】
ここで、前記制御基板４１は、前記遊技盤１１０の前記盤面に略平行な軸５２を中心に回転することで前記画像表示部１１４と重層となる位置と重層とならない位置とに移動するとよい。
【０００７】
なお、本欄における上記符号は、本発明の説明に際して例示的に付したものであり、この符号により本発明が減縮されるものではない。
【発明の効果】
【０００８】
本発明によれば、画像表示部と制御基板とが重層となる構成でも、制御基板を先に取り付けた後に、制御基板の前方に配置される画像表示部を組み付けることができる。
【図面の簡単な説明】
【０００９】
【図１】本実施形態に係るパチンコ遊技機の概略正面図である。
【図２】本実施形態のパチンコ遊技機の部分拡大図である。
【図３】制御ユニットの内部構成を示すブロック図である。
【図４】本実施形態のパチンコ遊技機を後方から見た平面図である。
【図５】本実施形態の遊技盤の構成を斜め後方から示す斜視図である。
【図６】画像表示ユニットの構成を示す図である。
【図７】ドラムユニットの構成を詳細に示す図である。
【図８】支持ユニットの概略構成図である。
【図９】右部基板ユニットの概略構成を示す斜視図である。
【図１０】右部基板支持ユニットの概略構成を示す斜視図である。
【図１１】上部基板支持ユニットの概略構成を示す斜視図である。
【図１２】カバー支持ユニットの概略構成を示す斜視図である。
【図１３】右部基板支持ユニットに対して右部基板ユニットを回転させた状態を示す図である。
【図１４】右部基板ユニットを回転させていない状態を示す図である。
【図１５】他の画像表示ユニットを組み付ける態様を示す図である。
【発明を実施するための形態】
【００１０】
以下、添付図面を参照して、本発明の実施の形態について詳細に説明する。
〔遊技機の基本構成〕
図１は、本実施の形態に係るパチンコ遊技機１００の概略正面図である。
同図に示す遊技機の一例としてのパチンコ遊技機１００は、遊技者の指示操作により打ち出された遊技球が入賞すると賞球を払い出すように構成されたものである。このパチンコ遊技機１００は、遊技球が打ち出される遊技盤１１０と、遊技盤１１０を囲む枠部材１５０とを備えている。遊技盤１１０は、枠部材１５０に着脱自在に取り付けられている。以下の説明において、パチンコ遊技機１００から見て遊技者側を前方または表、遊技者側とは反対側を後方または裏とする。また、左、右、上、下は、遊技者から見た方向を意味する。
【００１１】
遊技盤１１０は、前面に遊技球により遊技を行うための遊技領域１１１ａが形成された遊技板１１１と、遊技板１１１の手前側に配置されて、下方から発射された遊技球が上昇して遊技領域１１１ａの上部位置へ向かう通路を形成するレール部材１１２と、遊技領域１１１ａの右側に遊技球を案内する案内部材１１３とを備えている。
本実施の形態では、遊技者により視認され易い遊技領域１１１ａの位置に、演出のための各種の画像を表示する画像表示部１１４が配設されている。この画像表示部１１４は、液晶ディスプレイ等による表示画面を備え、遊技者によるゲームの進行に伴い、例えば、図柄抽選結果（図柄変動結果）を遊技者に報知するための装飾図柄を表示したり、キャラクタの登場やアイテムの出現による演出画像を表示したりする。
また、遊技盤１１０の前部に、各種の演出に用いられる可動役物１１５および盤ランプ１１６を備えている。可動役物１１５は、動作することにより各種の演出を行い、また、盤ランプ１１６は、発光することで各種の演出を行う。
【００１２】
遊技領域１１１ａには、遊技球が落下する方向に変化を与えるための図示しない遊技くぎおよび風車等が配設されている。また、遊技領域１１１ａには、入賞や抽選に関する種々の役物が所定の位置に配設されている。また、遊技領域１１１ａには、遊技領域１１１ａに打ち出された遊技球のうち入賞口に入賞しなかったものを遊技領域１１１ａの外に排出する排出口１１７が配設されている。
【００１３】
本実施の形態では、入賞や抽選に関する種々の役物として、遊技球が入ると入賞して特別図柄抽選（大当たり抽選）が始動する第１始動口１２１および第２始動口１２２と、遊技球が通過すると普通図柄抽選（開閉抽選）が始動するゲート１２４と、が遊技盤１１０に配設されている。ここにいう第１始動口１２１および第２始動口１２２とは、予め定められた１の特別図柄表示器を作動させることとなる遊技球の入賞に係る入賞口をいう。
第２始動口１２２は、チューリップの花の形をした一対の羽根が電動ソレノイドにより開閉すると共に点灯する普通電動役物としての電動チューリップ１２３を備えている。電動チューリップ１２３は、羽根が閉じていると、遊技球が第２始動口１２２へ入り難い一方で、羽根が開くと第２始動口１２２の入口が拡大して遊技球が第２始動口１２２へ入り易くなるように構成されている。そして、電動チューリップ１２３は、普通図柄抽選に当選すると、点灯ないし点滅しながら羽根が規定時間（例えば６秒間）および規定回数（例えば３回）だけ開く。
【００１４】
なお、パチンコ遊技機１００は、所定の条件下で、特別図柄抽選において大当たりに当選する大当たり確率が変動する場合（低確状態（例えば３００分の１）から高確状態（例えば３０分の１）への変動）がある。また、パチンコ遊技機１００は、所定の条件下で、特別図柄抽選時の特別図柄変動時間が短縮されたり、普通図柄抽選時の当選する確率が高まったり、普通図柄抽選時の普通図柄変動時間が短縮されたり、電動チューリップ１２３の羽根の開時間が延長されたり、電動チューリップ１２３の羽根が開く回数が増えたりする場合がある。
【００１５】
また、本実施の形態では、入賞や抽選に関するその他の役物として、特別図柄抽選の結果に応じて開放する特別電動役物としての大入賞口１２５と、遊技球が入賞しても抽選が始動しない普通入賞口１２６と、が遊技盤１１０に配設されている。
なお、本実施の形態では、遊技領域１１１ａに第１始動口１２１および第２始動口１２２が配設されているが、いずれか一方のみを配設する構成例やさらに他の始動口を配設する構成例も考えられる。また、本実施の形態では、遊技領域１１１ａに大入賞口１２５が１つ配設されているが、大入賞口１２５を複数配設する構成例も考えられる。
本実施の形態では、遊技盤１１０の右下の位置に、抽選結果や保留数に関する表示を行う表示器１３０が配設されている。
【００１６】
また、遊技盤１１０の後部には、内部抽選および当選の判定等を行う遊技制御基板、演出を統括的に制御する演出制御基板、画像および音による演出を制御する画像制御基板、各種のランプおよび可動役物１１５による演出を制御するランプ制御基板などの図示しない各種の基板等が取り付けられる。また、遊技盤１１０の後部には、供給された２４ＶのＡＣ電源をＤＣ電源に変換して各種の基板等に出力するスイッチング電源（不図示）が配設されている。
【００１７】
枠部材１５０は、遊技者がハンドル１５１に触れてレバー１５２を時計方向に回転させる操作を行うとその操作角度に応じた打球力にて遊技球を所定の時間間隔（例えば１分間に１００個）で電動発射する発射装置（不図示）を備えている。また、枠部材１５０は、遊技者のレバー１５２による操作と連動したタイミングで発射装置に遊技球を１つずつ順に供給する供給装置（不図示）と、供給装置が発射装置に供給する遊技球を一時的に溜めておく皿１５３（図２参照）と、を備えている。この皿１５３には、例えば払い出しユニットによる払出球が払い出される。
なお、本実施の形態では、皿１５３を上下皿一体で構成しているが、上皿と下皿とを分離する構成例も考えられる。また、発射装置のハンドル１５１を所定条件下で発光させる構成例も考えられる。
【００１８】
また、枠部材１５０は、発射装置のハンドル１５１に遊技者が触れている状態であっても遊技球の発射を一時的に停止させるための停止ボタン１５４と、皿１５３に溜まっている遊技球を箱（不図示）に落下させて取り出すための取り出しボタン１５５と、を備えている。
また、枠部材１５０は、パチンコ遊技機１００の遊技状態や状況を告知したり各種の演出を行ったりするスピーカ１５６および枠ランプ１５７を備えている。スピーカ１５６は、楽曲や音声、効果音による各種の演出を行い、また、枠ランプ１５７は、点灯点滅によるパターンや発光色の違い等で光による各種の演出を行う。なお、枠ランプ１５７については、光の照射方向を変更する演出を行うことを可能にする構成例が考えられる。
また、枠部材１５０は、遊技盤１１０を遊技者と隔てるための透明板（不図示）を備えている。
【００１９】
図２は、本実施の形態に係るパチンコ遊技機１００を説明する図であり、（ａ）は、遊技盤１１０の右下に配設された表示器１３０の一例を示す拡大図であり、（ｂ）は、パチンコ遊技機１００の部分平面図である。
パチンコ遊技機１００の表示器１３０は、図２の（ａ）に示すように、第１始動口１２１の入賞に対応して作動する第１特別図柄表示器２２１と、第２始動口１２２の入賞に対応して作動する第２特別図柄表示器２２２と、ゲート１２４の通過に対応して作動する普通図柄表示器２２３と、を備えている。第１特別図柄表示器２２１は、第１始動口１２１の入賞による特別図柄を変動表示しその抽選結果を表示する。第２特別図柄表示器２２２は、第２始動口１２２の入賞による特別図柄を変動表示しその抽選結果を表示する。普通図柄表示器２２３は、遊技球がゲート１２４を通過することにより普通図柄を変動表示しその抽選結果を表示する。第１特別図柄表示器２２１、第２特別図柄表示器２２２および普通図柄表示器２２３の各々は、ＬＥＤ表示装置で構成され、その点灯態様によって各抽選結果を表す図柄が表示される。
【００２０】
また、表示器１３０は、第１特別図柄表示器２２１での保留に対応して作動する第１特別図柄保留表示器２１８と、第２特別図柄表示器２２２での保留に対応して作動する第２特別図柄保留表示器２１９と、普通図柄表示器２２３での保留に対応して作動する普通図柄保留表示器２２０と、を備えている。第１特別図柄保留表示器２１８、第２特別図柄保留表示器２１９および普通図柄保留表示器２２０の各々は、ＬＥＤ表示装置で構成され、その点灯態様によって保留数が表示される。
【００２１】
ここで、保留について説明する。特別図柄や普通図柄の変動表示動作中（入賞１回分の変動表示が行なわれている間）にさらに他の遊技球による入賞があると、その入賞した遊技球に対する図柄の変動表示動作は、先に入賞した遊技球に対する変動表示動作が終了するまで、規定個数（例えば４個）を限度に保留される。このような保留がなされていることおよびその保留の数（未抽選数）が、第１特別図柄保留表示器２１８、第２特別図柄保留表示器２１９および普通図柄保留表示器２２０に表示される。
【００２２】
パチンコ遊技機１００の枠部材１５０は、遊技者が演出に対する入力を行うための入力装置を備えている。図２の（ｂ）に示すように、本実施の形態では、入力装置の一例として、演出ボタン１６１と、演出ボタン１６１に隣接し、略十字に配列された複数のキーからなる演出キー１６２と、が枠部材１５０に配設されている。演出キー１６２は、その中央に１つの中央キーを配置し、また、中央キーの周囲に略同一形状の４つの周囲キーを配置して構成されている。遊技者は、４つの周囲キーを操作することにより、画像表示部１１４に表示されている複数の画像のいずれかを選ぶことが可能であり、また、中央キーを操作することにより、選んだ画像を情報として入力することが可能である。
【００２３】
〔制御ユニットの構成〕
次に、パチンコ遊技機１００での動作制御や信号処理を行う制御ユニットについて説明する。
図３は、制御ユニットの内部構成を示すブロック図である。同図に示すように、制御ユニットは、メイン制御手段として、内部抽選および当選の判定等といった払い出す賞球数に関する各種制御を行う遊技制御部２００を備えている。また、サブ制御手段として、演出を統括的に制御する演出制御部３００と、画像および音響を用いた演出を制御する画像／音響制御部３１０と、各種のランプおよび可動役物１１５を用いた演出を制御するランプ制御部３２０と、払出球の払い出し制御を行う払出制御部４００と、を備えている。
【００２４】
前述したように、遊技制御部２００、演出制御部３００、画像／音響制御部３１０、ランプ制御部３２０、および払出制御部４００の各々は、パチンコ遊技機１００の後部に配設されたメイン基板としての遊技制御基板、サブ基板としての演出制御基板、画像制御基板、ランプ制御基板、および払出制御基板において個別に構成されている。
【００２５】
〔遊技制御部の構成・機能〕
遊技制御部２００は、内部抽選および当選の判定等といった払い出し賞球数に関連する各種制御を行う際の演算処理を行うＣＰＵ２０１と、ＣＰＵ２０１にて実行されるプログラムや各種データ等が記憶されたＲＯＭ２０２と、ＣＰＵ２０１の作業用メモリ等として用いられるＲＡＭ２０３と、を備えている。
遊技制御部２００は、第１始動口１２１または第２始動口１２２に遊技球が入賞すると特別図柄抽選を行い、特別図柄抽選での当選か否かの判定結果を演出制御部３００に送る。また、特別図柄抽選時の当選確率の変動設定（例えば３００分の１から３０分の１への変動設定）、特別図柄抽選時の特別図柄変動時間の短縮設定、および普通図柄抽選時の普通図柄変動時間の短縮設定を行い、設定内容を演出制御部３００に送る。
さらに、遊技制御部２００は、電動チューリップ１２３の羽根の開時間の延長、および電動チューリップ１２３の羽根が開く回数の設定、さらには羽根が開く際の開閉動作間隔の設定を制御する。また、遊技球が連続的に第１始動口１２１または第２始動口１２２へ入賞したときの未抽選分の限度個数（例えば４個）までの保留や、遊技球が連続的にゲート１２４を通過したときの未抽選分の限度個数（例えば４個）までの保留を設定する。
また、遊技制御部２００は、特別図柄抽選の結果に応じて、大入賞口１２５が所定条件（例えば３０秒経過または遊技球１０個の入賞）を満たすまで開状態を維持するラウンドを所定回数だけ繰り返すように制御する。さらには、大入賞口１２５が開く際の開閉動作間隔を制御する。
【００２６】
さらに、遊技制御部２００は、第１始動口１２１、第２始動口１２２、大入賞口１２５および普通入賞口１２６に遊技球が入賞すると、遊技球が入賞した場所に応じて１つの遊技球当たり所定数の賞球を払い出すように、払出制御部４００に対する指示を行う。例えば、第１始動口１２１に遊技球が入賞すると３個の賞球、第２始動口１２２に遊技球が入賞すると４個の賞球、大入賞口１２５に遊技球が入賞すると１３個の賞球、普通入賞口１２６に遊技球が入賞すると１０個の賞球をそれぞれ払い出すように、払出制御部４００に指示命令（コマンド）を送る。なお、ゲート１２４を遊技球が通過したことを検出しても、それに連動した賞球の払い出しは払出制御部４００に指示しない。
払出制御部４００が遊技制御部２００の指示に従って賞球の払い出しを行った場合には、遊技制御部２００は、払い出した賞球の個数に関する情報を払出制御部４００から取得する。それにより、払い出した賞球の個数を管理する。
【００２７】
遊技制御部２００には、図２に示すように、第１始動口１２１への遊技球の入賞を検出する第１始動口検出部（第１始動口スイッチ（ＳＷ））２１１と、第２始動口１２２への遊技球の入賞を検出する第２始動口検出部（第２始動口スイッチ（ＳＷ））２１２と、電動チューリップ１２３を開閉する電動チューリップ開閉部２１３と、ゲート１２４への遊技球の通過を検出するゲート検出部（ゲートスイッチ（ＳＷ））２１４と、が接続されている。
さらに、遊技制御部２００には、大入賞口１２５への遊技球の入賞を検出する大入賞口検出部（大入賞口スイッチ（ＳＷ））２１５と、大入賞口１２５を閉状態と突出傾斜した開状態とに設定する大入賞口開閉部２１６と、普通入賞口１２６への遊技球の入賞を検出する普通入賞口検出部（普通入賞口スイッチ（ＳＷ））２１７と、が接続されている。
【００２８】
また、遊技制御部２００には、第１始動口１２１への遊技球の入賞により始動した特別図柄抽選（大当たり抽選）の未抽選分の保留個数を限度個数内（例えば４個）で表示する第１特別図柄保留表示器２１８と、第２始動口１２２への遊技球の入賞により始動した特別図柄抽選の未抽選分の保留個数を限度個数内で表示する第２特別図柄保留表示器２１９と、ゲート１２４への遊技球の通過により始動した普通図柄抽選（開閉抽選）が始動する未抽選分の保留個数を限度個数内で表示する普通図柄保留表示器２２０と、が接続されている。
さらに、遊技制御部２００には、第１始動口１２１への遊技球の入賞により始動した特別図柄抽選の結果を表示する第１特別図柄表示器２２１と、第２始動口１２２への遊技球の入賞により始動した特別図柄抽選の結果を表示する第２特別図柄表示器２２２と、普通図柄抽選の結果を表示する普通図柄表示器２２３と、パチンコ遊技機１００の状態を表示する状態表示器２２４と、が接続されている。
【００２９】
そして、第１始動口スイッチ２１１、第２始動口スイッチ２１２、ゲートスイッチ２１４、大入賞口スイッチ２１５および普通入賞口スイッチ２１７にて検出された検出信号が、遊技制御部２００に送られる。また、遊技制御部２００からの制御信号が、電動チューリップ開閉部２１３、大入賞口開閉部２１６、第１特別図柄保留表示器２１８、第２特別図柄保留表示器２１９、普通図柄保留表示器２２０、第１特別図柄表示器２２１、第２特別図柄表示器２２２、普通図柄表示器２２３および状態表示器２２４に送られる。それにより、遊技制御部２００は、上記した払い出し賞球数に関連する各種制御を行う。
【００３０】
さらに、遊技制御部２００には、ホールに設置されたホストコンピュータ（不図示）に対して各種の情報を送信する盤用外部情報端子基板２５０が接続されている。そして、遊技制御部２００は、払出制御部４００から取得した払い出した賞球数に関する情報や遊技制御部２００の状態等を示す情報を、盤用外部情報端子基板２５０を介してホストコンピュータに送信する。
【００３１】
〔演出制御部の構成・機能〕
次に、演出制御部３００は、演出を制御する際の演算処理を行うＣＰＵ３０１と、ＣＰＵ３０１にて実行されるプログラムや各種データ等が記憶されたＲＯＭ３０２と、ＣＰＵ３０１の作業用メモリ等として用いられるＲＡＭ３０３と、日時を計測するリアルタイムクロック（ＲＴＣ）３０４と、を備えている。
演出制御部３００は、例えば遊技制御部２００から送られる特別図柄抽選での当選か否かの判定結果に基づいて、演出内容を設定する。その際、演出ボタン等（演出ボタン１６１および演出キー１６２）を用いたユーザからの操作入力を受けて、操作入力に応じた演出内容を設定する場合もある。この場合、例えば演出ボタン等のコントローラ（不図示）から操作に応じた信号（操作信号）を受け付け、この操作信号により識別される操作内容を演出の設定に反映させる。また、遊技が所定期間中断された場合には、演出の一つとして客待ち用の画面表示の設定を指示する。
さらには、遊技制御部２００が特別図柄抽選時の当選確率を変動させた場合、特別図柄抽選時の特別図柄変動時間を短縮させた場合、および普通図柄抽選時の普通図柄変動時間を短縮させた場合には、演出制御部３００は設定された内容に対応させて演出内容を設定する。
また、演出制御部３００は、設定した演出内容の実行を指示するコマンドを画像／音響制御部３１０およびランプ制御部３２０に送る。
【００３２】
〔画像／音響制御部の構成・機能〕
画像／音響制御部３１０は、演出内容を表現する画像および音響を制御する際の演算処理を行うＣＰＵ３１１と、ＣＰＵ３１１にて実行されるプログラムや各種データ等が記憶されたＲＯＭ３１２と、ＣＰＵ３１１の作業用メモリ等として用いられるＲＡＭ３１３と、を備えている。
そして、画像／音響制御部３１０は、演出制御部３００から送られたコマンドに基づいて、画像表示部１１４に表示する画像およびスピーカ１５６から出力する音響を制御する。
具体的には、画像／音響制御部３１０のＲＯＭ３１２には、画像表示部１１４において遊技中に表示する図柄画像や背景画像、遊技者に抽選結果を報知するための装飾図柄、遊技者に予告演出を表示するためのキャラクタやアイテム等といった画像データが記憶されている。さらには、画像データと同期させて、または画像データとは独立にスピーカ１５６から出力させる楽曲や音声、さらにはジングル等の効果音等といった各種音響データが記憶されている。ＣＰＵ３１１は、ＲＯＭ３１２に記憶された画像データや音響データの中から、演出制御部３００から送られたコマンドに対応したものを選択して読み出す。さらには、読み出した画像データを用いて背景画像表示、図柄画像表示、図柄画像変動、およびキャラクタ／アイテム表示等のための画像処理と、読み出した音響データを用いた音声処理とを行う。
そして、画像／音響制御部３１０は、画像処理された画像データにより画像表示部１１４での画面表示を制御する。また、音声処理された音響データによりスピーカ１５６から出力される音響を制御する。
【００３３】
〔ランプ制御部の構成・機能〕
ランプ制御部３２０は、盤ランプ１１６や枠ランプ１５７の発光、および可動役物１１５の動作を制御する際の演算処理を行うＣＰＵ３２１と、ＣＰＵ３２１にて実行されるプログラムや各種データ等が記憶されたＲＯＭ３２２と、ＣＰＵ３２１の作業用メモリ等として用いられるＲＡＭ３２３と、を備えている。
そして、ランプ制御部３２０は、演出制御部３００から送られたコマンドに基づいて、盤ランプ１１６や枠ランプ１５７の点灯／点滅や発光色等を制御する。また、可動役物１１５の動作を制御する。
具体的には、ランプ制御部３２０のＲＯＭ３２２には、演出制御部３００にて設定される演出内容に応じた盤ランプ１１６や枠ランプ１５７での点灯／点滅パターンデータおよび発光色パターンデータ（発光パターンデータ）が記憶されている。ＣＰＵ３２１は、ＲＯＭ３２２に記憶された発光パターンデータの中から、演出制御部３００から送られたコマンドに対応したものを選択して読み出す。そして、ランプ制御部３２０は、読み出した発光パターンデータにより盤ランプ１１６や枠ランプ１５７の発光を制御する。
また、ランプ制御部３２０のＲＯＭ３２２には、演出制御部３００にて設定される演出内容に応じた可動役物１１５の動作パターンデータが記憶されている。ＣＰＵ３２１は、可動役物１１５に対しては、読み出した動作パターンデータによりその動作を制御する。
【００３４】
〔払出制御部の構成・機能〕
払出制御部４００は、払出球の払い出しを制御する際の演算処理を行うＣＰＵ４０１と、ＣＰＵ４０１にて実行されるプログラムや各種データ等が記憶されたＲＯＭ４０２と、ＣＰＵ４０１の作業用メモリ等として用いられるＲＡＭ４０３と、を備えている。
そして、払出制御部４００は、遊技制御部２００から送られたコマンドに基づいて、払出球の払い出しを制御する。
具体的には、払出制御部４００は、遊技制御部２００から、遊技球が入賞した場所（第１始動口１２１等）に応じた所定数の賞球を払い出すコマンドを取得する。そして、コマンドに指定された数だけの賞球を払い出すように払出駆動部４１１を制御する。ここでの払出駆動部４１１は、遊技球の貯留部から遊技球を送り出す駆動モータで構成される。
【００３５】
また、払出制御部４００には、払出駆動部４１１により遊技球の貯留部から実際に払い出された賞球の数を検出する払出球検出部４１２と、貯留部（不図示）での遊技球の貯留の有無を検出する球有り検出部４１３と、遊技者が遊技する際に使用する遊技球や払い出された賞球が保持される皿１５３が満タン状態に有るか否かを検出する満タン検出部４１４と、が接続されている。そして、払出制御部４００は、払出球検出部４１２、球有り検出部４１３および満タン検出部４１４にて検出された検出信号を受け取り、これらの検出信号に応じた所定の処理を行う。
さらに、払出制御部４００には、ホールに設置されたホストコンピュータに対して各種の情報を送信する枠用外部情報端子基板４５０が接続されている。そして、払出制御部４００は、例えば払出駆動部４１１に対して払い出すように指示した賞球数に関する情報や払出球検出部４１２にて検出された実際に払い出された賞球数に関する情報等を枠用外部情報端子基板４５０を介してホストコンピュータに送信する。また、遊技制御部２００に対しても、同様の情報を送信する。
【００３６】
〔遊技盤の構成〕
図４は、本実施形態のパチンコ遊技機１００を後方から見た平面図である。図５は、本実施形態の遊技盤１１０の構成を斜め後方から示す斜視図である。なお、図４では、後述するカバー部材９５０を図示していない。
図５に示すように、遊技盤１１０は、前面に遊技領域１１１ａが形成されるとともに遊技くぎおよび風車等が配設された遊技板１１１と、遊技板１１１の板面（遊技盤１１０の盤面）に略直交する方向に遊技板１１１の後方に配置された画像表示部１１４を有する画像表示ユニット５００と、この画像表示ユニット５００および各種制御基板を支持する支持ユニット１０と、後端面をカバーするカバー部材９５０と、を備えている。なお、図５には示していないが、上述した可動役物１１５は、画像表示ユニット５００の画像表示部１１４よりも手前側において、遊技板１１１に取り付けられている。
【００３７】
そして、図４に示すように、本実施の形態に係るパチンコ遊技機１００では、遊技制御基板２００Ｂが画像表示ユニット５００の下方に設けられ、演出制御基板３００Ｂおよび画像制御基板３１０Ｂが画像表示ユニット５００の後部に設けられ、ランプ制御基板３２０Ｂが画像表示ユニット５００の上方に設けられている。また、ランプ制御基板３２０Ｂなどと演出制御基板３００Ｂなどとの間を中継する後述する中継基板４１が画像表示ユニット５００の後方に設けられている。また、パチンコ遊技機１００の後部ではあるが、遊技盤１１０の後部ではない箇所に払出制御基板４００Ｂが取り付けられている。
【００３８】
〔画像表示ユニット５００の構成〕
先ずは、画像表示ユニット５００について説明する。
図６は、画像表示ユニット５００の構成を示す図である。
画像表示ユニット５００は、演出制御基板３００Ｂおよび画像制御基板３１０Ｂを有する基板ユニット５１０と、画像表示部１１４とにより構成される。基板ユニット５１０は、演出制御基板３００Ｂおよび画像制御基板３１０Ｂを収納する基板ユニットケース５１１を備えており、この基板ユニットケース５１１は、画像表示部１１４の後述する収納ケース６５０の後部にボルトなどの固定部材で固定される。
【００３９】
画像表示部１１４は、図６に示すように、回転ドラム６２０と回転ドラム６２０が収納された収納ケース６５０とを有する図柄表示ユニット６００を備えている。また、画像表示部１１４は、収納ケース６５０の回転ドラム６２０側の開口部６５０ａを覆うとともに回転ドラム６２０に付された図柄を露出させるための窓７００ａが回転ドラム６２０と同数形成されたケースカバー７００を有する。また、画像表示部１１４は、ケースカバー７００よりも手前側に配置された液晶表示部８００と、液晶表示部８００よりも手前側に配置され液晶表示部８００の四隅と側面をカバーする外枠９００とを有する。
【００４０】
図柄表示ユニット６００は、図６に示すように、複数（本実施の形態では３つ）のドラムユニット６１０を収納ケース６５０内に所定間隔を置いて互いに隣接させて収納する。
図７は、ドラムユニット６１０の構成を詳細に示す図である。
ドラムユニット６１０は、複数（本実施の形態では３つ）の回転ドラム６２０が、ドラム保持部材６３０に連結されて構成される。
【００４１】
ドラム保持部材６３０は、回転ドラム６２０を回転及び停止させるステッピングモータ（以下単に「モータ」という。）６３１を、回転ドラム６２０と同数（本実施の形態では３つ）有している。つまり、複数（本実施の形態では３つ）のモータ６３１が、１つのモータ保持部材６３２に取り付けられている。そして、各モータ６３１は、モータ保持部材６３２に設けられているモータ台座６３２ａに、モータの出力軸６３１ａ側からねじ６３１ｂにて締め付けられることにより、モータ保持部材６３２に固定される。モータ保持部材６３２は、モータ６３１に対して制御信号などを供給する基板（不図示）を有しており、この基板から複数（本実施の形態では３つ）のモータ６３１に対して制御信号が送られる。
【００４２】
モータ６３１の出力軸６３１ａには、この出力軸６３１ａと回転ドラム６２０とを同期して回転させるためのドラムフランジ６３３がねじ６３４によって固定されている。ドラムフランジ６３３によって、モータの回転駆動力が回転ドラム６２０に伝達されるため、ドラムフランジ６３３は、伝達部材として機能する。回転ドラム６２０は、複数（本実施の形態では２つ）のねじ６３５にてドラムフランジ６３３に固定される。なお、ドラムフランジ６３３は、モータ６３１の回転軸に対して垂直な締付面を有しており、回転ドラム６２０は、モータ６３１の回転軸に対して垂直な締付面６２１を有している。それゆえ、回転ドラム６２０は、モータ６３１の回転とともにモータ６３１の回転軸心を回転中心として回転する。
【００４３】
そして、複数（本実施の形態では３つ）の回転ドラム６２０がドラム保持部材６３０に連結されてドラムユニット６１０が構成された後に、ドラムユニット６１０が収納ケース６５０内に収納される。
そして、複数（本実施の形態では３つ）のドラムユニット６１０が、収納ケース６５０内に所定間隔を置いて互いに隣接して収納される。収納ケース６５０の前面には開口部６５０ａが形成されており、この開口部６５０ａから各ドラムユニット６１０の回転ドラム６２０に付されている図柄が露出する。また、収納ケース６５０の側面および後面には、スリット６５０ｂが複数形成されている。
また、収納ケース６５０は、右側面および左側面に設けられ、後述する補強部材３０に締め付けられる締付部６５１を有している。両締付部６５１には、補強部材３０に形成されたネジ孔と協働して収納ケース６５０を補強部材３０に固定するボルトなどの固定部材が通る複数の孔６５１ａが複数（本実施の形態においては各４つ）形成されている。
【００４４】
そして、収納ケース６５０内に、複数（本実施の形態では３つ）のドラムユニット６１０が収納された後に、収納ケース６５０の開口部６５０ａがケースカバー７００にて覆われる。ケースカバー７００には、回転ドラム６２０と同数（本実施の形態では９つ）の窓７００ａが形成されており、この窓７００ａを介して回転ドラム６２０に付された図柄が露出し、遊技者に見えるようになっている。
【００４５】
液晶表示部８００は、保護ガラス８０２と表示板８０３とからなる正面パネル８０１と、透明液晶パネル８０４と、導光板８０５と、反射フィルム８０６と、所謂白色光源である蛍光ランプ（不図示）と、ランプホルダ（不図示）とを有する。また、液晶表示部８００は、透明液晶パネル８０４を駆動するためのＩＣを搭載したテーブルキャリアパッケージ（ＴＣＰ）（不図示）を備えており、ＴＣＰは、透明液晶パネル８０４の端子部に接続したフレキシブル基板（不図示）等により構成される。
この液晶表示部８００は、上述したように、ケースカバー７００よりも手前側に、ケースカバー７００と予め定められた間隔をあけて配置されている。
【００４６】
保護ガラス８０２及び表示板８０３は、透明な部材で構成されている。表示板８０３は、絵柄等を記すために設けられているが、絵柄等を記さない仕様の遊技機においては省いてもよい。
透明液晶パネル８０４は、薄膜トランジスタ層が形成されたガラス板等の透明な基板と、これに対向する透明な基板との間隙部に液晶が封入されて形成されている。この透明液晶パネル８０４の表示モードは、ノーマリーホワイトに設定することが好適である。ノーマリーホワイトとは、液晶を駆動していない状態で白表示（表示面側に透過した光が外部より視認可能である）となる構成である。ノーマリーホワイトに構成された透明液晶パネル８０４を採用することにより、液晶を駆動することができない事態が生じた場合であっても、回転ドラム６２０により表示された図柄を視認することができ、遊技を継続することができる。
【００４７】
導光板８０５は、蛍光ランプ（不図示）からの光を透明液晶パネル８０４へ導き出す（透明液晶パネル８０４を照明する）ためのものであり、透明液晶パネル８０４の裏側に設けられ、例えば、２ｃｍ程度の厚さを有するアクリル系樹脂等の透明部材（導光機能を有する）で構成されている。
反射フィルム８０６は、例えば、白色のポリエステルフィルムやアルミ薄膜に銀蒸着膜を形成したものが用いられ、導光板８０５に導入された光を導光板８０５の正面側へ向けて反射させる。
【００４８】
不図示の蛍光ランプの一部は、導光板８０５の上端部及び下端部に沿って配置されており、これらの蛍光ランプから照射される光は、反射フィルム８０６で反射して透明液晶パネル８０４を照明する。また、他の蛍光ランプは、反射フィルム８０６の裏側の上方位置及び下方位置に図柄表示ユニット６００に向かって配置されている。これらの蛍光ランプから出て回転ドラム６２０の表面で反射した光は、透明液晶パネル８０４を照明する。
なお、液晶表示部８００は、１５インチサイズのものであることを例示することができる。
【００４９】
〔支持ユニット１０の構成〕
次に、支持ユニット１０について説明する。
図８は、支持ユニット１０の概略構成図である。
支持ユニット１０は、前面が開口するとともに後面の一部が開口した開口部２０ａが形成された箱状のベース部材２０と、ベース部材２０の開口部２０ａを補強する補強部材３０と、を備えている。また、支持ユニット１０は、遊技盤１１０の後部の右部（図８では左側の部位）に配置された制御基板の一例としての中継基板４１を有する右部基板ユニット４０と、右部基板ユニット４０を支持する右部基板支持ユニット６０と、遊技盤１１０の後部の上部に配置されたランプ制御基板３２０Ｂを支持する上部基板支持ユニット７０と、を備えている。また、支持ユニット１０は、カバー部材９５０を支持するカバー支持ユニット８０と、遊技盤１１０の下部に配置された遊技制御基板２００Ｂを支持する下部基板支持ユニット９０とを備えている。
【００５０】
〔ベース部材２０の構成〕
ベース部材２０は、図８に示すように、遊技板１１１の後面と接触するように箱状の前部から外側に突出した突出部２１を有している。そして、ベース部材２０は、突出部２１に形成された孔２１ａを介してボルトなどにより遊技板１１１の後部に締め付けられる。
また、ベース部材２０の後部には、補強部材３０、後述する右部基板連結部材６６や上部基板連結部材７６が締め付けられる複数のネジ孔が形成された複数のボス２２を有している。また、ベース部材２０には、後述する右部基板支持部材６１の突起６５が挿入される突起孔２３が形成されている。
このベース部材２０は、例えばＡＢＳ樹脂などの合成樹脂にて成形されたものであることを例示することができる。
【００５１】
〔補強部材３０の構成〕
補強部材３０は、この補強部材３０の骨格をなす口の字状の骨格部３１を有する平板状の部材であり、ステンレスなどの金属板によって形成されている。そして、補強部材３０は、骨格部３１の右部（図８では左側の部位）の内側から前方に突出した右前方突出部３２と、骨格部３１の左部（図８では右側の部位）の内側から前方に突出した左前方突出部３３と、骨格部３１の上部の外側から後方に突出した上後方突出部３４と、を有している。
【００５２】
骨格部３１には、ベース部材２０のボス２２に形成されたネジ孔と協働して補強部材３０をベース部材２０に固定するボルトなどの固定部材が通る複数の孔３１ａが形成されている。また、骨格部３１は、上部の外側から後方に突出するように折り曲げられた上部外屈曲部３５と、下部の外側から後方に突出するように折り曲げられた下部外屈曲部３６と、右部（図８では左側の部位）の外側から後方に突出するように折り曲げられた右部外屈曲部３７とを有している。
また、骨格部３１の左部（図８では右側の部位）には、カバー支持ユニット８０の後述するカバー支持部材８１の突起８３が嵌め込まれる突起用孔３１ｂと、後述する保持部材８５の前方突出部８８が挿入される突出部用孔３１ｃと、後述する圧入ピン８９が圧入されるピン用孔３１ｄとが形成されている。
【００５３】
右前方突出部３２は、骨格部３１の右部の内側から前方に突出する右部内突出部３２ａと、この右部内突出部３２ａの前部から左方（図８では右方）に折り曲げられた左方屈曲部３２ｂと、を有している。左方屈曲部３２ｂは、遊技板１１１の板面に略平行となるように設けられている。また、左方屈曲部３２ｂには、複数の雌ネジ３２ｃ（図１３、図１４参照）が形成されている。
左前方突出部３３は、骨格部３１の左部の内側から前方に突出する左部内突出部３３ａと、この左部内突出部３３ａの前部から右方（図８では左方）に折り曲げられた右方屈曲部３３ｂと、を有している。右方屈曲部３３ｂは、遊技板１１１の板面に略平行となるように設けられている。また、右方屈曲部３３ｂには、複数の雌ネジ３３ｃが形成されている。
【００５４】
上後方突出部３４は、骨格部３１の上部の外側から後方に突出する上部外突出部３４ａと、この上部外突出部３４ａの後部から上方に折り曲げられた上方屈曲部３４ｂと、を有している。上方屈曲部３４ｂは、遊技板１１１の板面に略平行となるように設けられている。また、上方屈曲部３４ｂには、ベース部材２０のボス２２に形成されたネジ孔と協働して補強部材３０をベース部材２０に固定するボルトなどの固定部材が通る複数の孔３４ｃが形成されている。
【００５５】
〔右部基板ユニット４０の構成〕
図９は、右部基板ユニット４０の概略構成を示す斜視図である。図９（ａ）は、右部基板ユニット４０を斜め後方から見た図であり、図９（ｂ）は、右部基板ユニット４０を斜め前方から見た図である。
右部基板ユニット４０は、制御基板の一例としての中継基板４１と、中継基板４１を保持する右部基板保持部材５０と、中継基板４１の表面の一部を覆う右部基板カバー４５と、を有している。
【００５６】
中継基板４１は、後面に、複数のコンデンサ４２、複数の雌型コネクタ４３などが実装された基板である。円柱状のコンデンサ４２は、その円柱の中心線方向が中継基板４１の板面に略直交するように実装されている。また、複数の雌型コネクタ４３は、挿入される雄型コネクタの挿入口が左方向（図９（ａ）では右方向）に開口した左雌型コネクタ４３ａと、挿入される雄型コネクタの挿入口が上方向に開口した上雌型コネクタ４３ｂとから構成される。したがって、左雌型コネクタ４３ａおよび上雌型コネクタ４３ｂは、中継基板４１の板面に平行な方向に、対応する雄型コネクタが差し込まれるように中継基板４１に実装されている。また、中継基板４１には、右部基板保持部材５０の後述するボス５６を貫通させる貫通孔４４が形成されている。
【００５７】
右部基板保持部材５０は、後部が開口した箱形状の部材である。そして、右部基板保持部材５０は、右側面５７（図９（ａ）では左側の側面）から右方向（図９（ａ）では左方向）に突出するとともに、上下方向に所定の間隔で並んで配置された２つの右突出部５１を有している。２つの右突出部５１は、それぞれ下方向に延びた円柱状の回転軸５２を有している。
また、右部基板保持部材５０は、前部から後方に突出し、中継基板４１の前後方向の位置を定める複数の位置決め部５３と、中継基板４１が後方に脱落するのを抑制する抑制部５４とを備えている。抑制部５４は、断面がＬ字状に形成されているとともに、後端部には先端から基端に行くに従って徐々に下方へ突出するように傾斜した傾斜面５４ａと、傾斜面５４ａの終端から上方向に向かう上向面５４ｂとを有している。また、右部基板保持部材５０は、後部における右下隅部および左下隅部に設けられて、中継基板４１の板面に平行な方向に内側に突出した内側突出部５５を有している。
【００５８】
また、右部基板保持部材５０は、前部から後方に突出するとともにネジ孔が形成された２つのボス５６を有している。また、右部基板保持部材５０は、２つの右突出部５１の間のスペースが前後方向に抜けるように右側面５７（図９（ａ）で見ると左側面）から左方向（図９（ａ）で見ると右方向）に凹んだ左方向凹部５７ａが形成されている。また、右部基板保持部材５０の右側面５７には、後部から前方に凹んだ３つの前方向凹部５８が形成されている。２つのボス５６の後端面と、３つの前方向凹部５８の底面との前後方向の位置は略同じになるように形成されている。また、右部基板保持部材５０には、左上部（図９（ａ）では右上部）から後方に突出した左後方突出部５９が設けられている。左後方突出部５９は、その後部に、左方（図９（ａ）では右方）に折り曲げられた右方屈曲部５９ａを有している。
【００５９】
右部基板カバー４５は、前部が開口した箱形状の部材である。そして、右部基板カバー４５の右部（図９（ａ）では左側の部位）には、右側面４６（図９（ａ）では左側面）から左方向（図９（ａ）では右方向）に凹んだ左方向凹部４６ａが形成されている。この左方向凹部４６ａは、右部基板保持部材５０の左方向凹部５７ａに対応するように設けられている。つまり、右部基板カバー４５の右側面４６は、右部基板保持部材５０の右側面５７の形状に沿うように形成されている。また、右部（図９（ａ）では左側の部位）には、右方向（図９（ａ）では左方向）に突出した右方向突出部４７が３つ設けられている。これら３つの右方向突出部４７は、右部基板保持部材５０の３つの前方向凹部５８に対応する位置に設けられている。また、右部基板カバー４５は、後部から前方に突出する２つの前方突出部４８を有している。この２つの前方突出部４８は、右部基板保持部材５０の２つのボス５６に対応する位置に設けられている。２つの前方突出部４８には、ボス５６に形成されたネジ孔と協働して右部基板カバー４５を右部基板保持部材５０に固定するボルトなどの固定部材が通る孔４８ａが形成されている。そして、右部基板カバー４５には、中継基板４１に実装されたコンデンサ４２を貫通させる貫通孔４９が、コンデンサ４２に対応する位置に形成されている。
【００６０】
以上のように構成された中継基板４１、右部基板保持部材５０および右部基板カバー４５においては、先ず、中継基板４１が右部基板保持部材５０に取付けられる。その態様は以下の通りである。中継基板４１の下部を右部基板保持部材５０の２つの内側突出部５５よりも手前側に挿入した後に、上部を抑制部５４の傾斜面５４ａに接触させて前方に移動させる。その際、右部基板保持部材５０の抑制部５４の断面Ｌ字状の先端部が上方へ撓むように弾性変形し、中継基板４１の上部が抑制部５４の上向面５４ｂよりも手前側に移動する。そして、抑制部５４の先端部が弾性変形から復帰し、抑制部５４の上向面５４ｂが中継基板４１の後方への移動を抑制する。同様に、２つの内側突出部５５が中継基板４１の後方への移動を抑制する。なお、中継基板４１は、右部基板保持部材５０の複数の位置決め部５３により前方への移動が抑制される。
【００６１】
中継基板４１が右部基板保持部材５０に取付けられた後、右部基板カバー４５が、３つの右方向突出部４７が右部基板保持部材５０の３つの前方向凹部５８に合うように配置され、貫通孔４９が中継基板４１に実装されたコンデンサ４２に合うように配置され、２つの前方突出部４８が右部基板保持部材５０の２つのボス５６に対応する位置に配置された状態で、ボス５６に形成されたネジ孔とボルトなどの固定部材を介して右部基板保持部材５０に締め付けられる。右部基板カバー４５が右部基板保持部材５０に取付けられることで、中継基板４１は、右部基板カバー４５の４つの側面の前端面にて後方への移動が抑制される。
【００６２】
〔右部基板支持ユニット６０の構成〕
図１０は、右部基板支持ユニット６０の概略構成を示す斜視図である。図１０（ａ）は、右部基板支持ユニット６０を斜め後方から見た図であり、図１０（ｂ）は、右部基板支持ユニット６０を斜め前方から見た図である。
右部基板支持ユニット６０は、右部基板ユニット４０を支持する右部基板支持部材６１と、右部基板支持部材６１をベース部材２０に連結する右部基板連結部材６６と、を有している。
右部基板支持部材６１は、基本形状が直方体状の部材であり、後部に、右部基板ユニット４０の右部基板保持部材５０の回転軸５２を回転可能に支持する円柱状の孔が形成された２つの軸受６２と、カバー部材９５０の後述するフック９５４を受け入れるフック溝６３とを有している。２つの軸受６２は、右部基板支持部材６１の後端面から後方に突出するように設けられているとともに、上下方向に所定の間隔で並んでおり、上下方向に孔が形成されている。そして、２つの軸受６２の間のスペースが前後方向に抜けるように左側面６１ａ（図１０（ａ）では右側面）から凹んだ凹部６１ｂが形成されている。フック溝６３は、２つの軸受６２の間であって２つの軸受６２よりも右方（図１０（ａ）では左方）に設けられている。
また、右部基板支持部材６１は、前部の上部から下部にかけて、ネジ孔が形成された複数のボス６４と、前端面から前方に突出するように設けられベース部材２０の突起孔２３に挿入される複数の突起６５とを有している。また、右部基板支持部材６１には、後述する上部基板支持部材７１のピン７４が嵌め込まれるピン孔６１ｃが形成されている。
【００６３】
右部基板連結部材６６は、平板状の部材であり、ステンレスなどの金属板によって形成されている。そして、右部基板連結部材６６には、ベース部材２０の後部に形成されたネジ孔と協働して、右部基板連結部材６６をベース部材２０に固定するボルトなどの固定部材が通る孔６７が形成されており、上部が後述する上部基板連結部材７６上に載せられた状態でベース部材２０に締め付けられる。また、右部基板連結部材６６には、右部基板支持部材６１の上部から下部にかけて複数設けられた形成されたボス６４のネジ孔と協働して、右部基板支持部材６１を右部基板連結部材６６に固定するボルトなどの固定部材が通る複数の孔６８が形成されており、上部から下部にかけて右部基板支持部材６１に締め付けられる。これらにより、右部基板連結部材６６は、ベース部材２０に保持されつつ、右部基板支持部材６１を保持する。そして、右部基板支持部材６１の凹部６１ｂに対応するスペースが前後方向に抜けるように切り欠き部６９が形成されている。
【００６４】
〔上部基板支持ユニット７０の構成〕
図１１は、上部基板支持ユニット７０の概略構成を示す斜視図である。図１１（ａ）は、上部基板支持ユニット７０を斜め後方から見た図であり、図１１（ｂ）は、上部基板支持ユニット７０を斜め前方から見た図である。
上部基板支持ユニット７０は、ランプ制御基板３２０Ｂを支持する上部基板支持部材７１と、上部基板支持部材７１をベース部材２０に連結する上部基板連結部材７６と、を有している。
上部基板支持部材７１は、基本形状が直方体状の部材であり、後部に、ランプ制御基板３２０Ｂを支持する基板支持部７２が設けられている。また、上部基板支持部材７１は、前部の右部と左部に、ネジ孔が形成された２つのボス７３と、右部基板支持部材６１の後部に設けられたピン孔６１ｃに嵌め込まれるピン７４とを有している。なお、上部基板支持部材７１の下端部は、上部基板連結部材７６の下端部よりも下方に突出しており、図１４（ｂ）に示すように、遊技板１１１の板面に略直交する方向に補強部材３０の骨格部３１と重層となる関係にある。
【００６５】
上部基板連結部材７６は、平板状の部材であり、ステンレスなどの金属板によって形成されている。そして、上部基板連結部材７６には、ベース部材２０の上部に形成されたネジ孔と協働して、上部基板連結部材７６をベース部材２０に固定するボルトなどの固定部材が通る複数（本実施の形態においては４つ）の孔７７が形成されており、ベース部材２０に締め付けられる。また、上部基板連結部材７６には、上部基板支持部材７１の右部と左部にそれぞれ設けられたボス７３のネジ孔と協働して、上部基板支持部材７１を上部基板連結部材７６に固定するボルトなどの固定部材が通る複数の孔７８が形成されており、上部基板支持部材７１に締め付けられる。これらにより、上部基板連結部材７６は、ベース部材２０に保持されつつ、上部基板支持部材７１を保持する。
【００６６】
〔カバー支持ユニット８０の構成〕
図１２は、カバー支持ユニット８０の概略構成を示す斜視図である。図１２（ａ）は、カバー支持ユニット８０を斜め後方から見た図であり、図１２（ｂ）は、カバー支持ユニット８０を斜め前方から見た図である。
カバー支持ユニット８０は、カバー部材９５０を回転可能に支持するカバー支持部材８１と、カバー支持部材８１を補強部材３０に保持する保持部材８５と、保持部材８５を上下方向にスライド可能に補強部材３０に圧入された圧入ピン８９とを有している。
カバー支持部材８１は、後部の上部と下部それぞれに、カバー部材９５０に設けられた回転軸９５３の軸受け８２が設けられている。また、カバー支持部材８１の前部には、前端面から前方に突出する複数（本実施の形態においては２つ）の突起８３が設けられている。この複数の突起８３は、補強部材３０の骨格部３１に形成された突起用孔３１ｂに嵌め込まれる。また、カバー支持部材８１には、保持部材８５の後述する前方突出部８８を挿入するための貫通孔８４が形成されている。
【００６７】
保持部材８５は、前部が開口した箱形状の部材であり、上下方向の中央部には圧入ピン８９の軸部を通す長孔８６が形成されており、上部には後方に突出した後方突出部８７が、下部には前方に突出した前方突出部８８が設けられている。前方突出部８８の前部には、下方向に突出した下方突出部８８ａが設けられている。
圧入ピン８９は、保持部材８５に形成された長孔８６の幅よりも大きな外径の円板状部８９ａを有する。
【００６８】
以上のように構成されたカバー支持ユニット８０は、カバー支持部材８１の複数の突起８３が補強部材３０の骨格部３１に形成された突起用孔３１ｂに嵌め込まれた後に、保持部材８５の長孔８６に通された圧入ピン８９が補強部材３０の骨格部３１に形成されたピン用孔３１ｄに圧入される。このとき保持部材８５の前方突出部８８は、カバー支持部材８１の貫通孔８４および補強部材３０の突出部用孔３１ｃに挿入されている。そして、圧入ピン８９が有する円板状部８９ａにより、カバー支持部材８１および保持部材８５の後方への移動が抑制される。また、保持部材８５が下方向にスライドし、前方突出部８８の下方突出部８８ａが補強部材３０の骨格部３１の手前側に位置することで、さらにカバー支持部材８１および保持部材８５の後方への移動が抑制される。
【００６９】
〔下部基板支持ユニット９０の構成〕
下部基板支持ユニット９０は、図８に示すように、前部が開口した箱形状の部材である。そして、下部基板支持ユニット９０は、補強部材３０の後面と接触するように左部（図８では右側の部位）から外側に突出した突出部９１を有している。そして、下部基板支持ユニット９０は、突出部９１に形成された孔を介してボルトなどにより補強部材３０の骨格部３１に締め付けられる。図４に示すように、この下部基板支持ユニット９０の後部に、遊技制御基板２００Ｂが取り付けられる。
【００７０】
〔カバー部材９５０の構成〕
カバー部材９５０は、画像表示ユニット５００および右部基板ユニット４０の後部を覆う平板状の覆い部９５１と、覆い部９５１の右部（図５では左側の部位）から前方に突出した前方突出部９５２とを有する、断面Ｌ字状の部材である。覆い部９５１の左部（図５では右側の部位）には、上下方向に所定の間隔で並んで配置された２つの回転軸９５３が設けられている。前方突出部９５２の先端部には鋭角に屈曲したＶ字状に形成されたフック９５４が設けられている。また、覆い部９５１には、貫通孔９５５が複数形成されている。
以上のように構成されたカバー部材９５０は、覆い部９５１の左部に設けられた２つの回転軸９５３がカバー支持ユニット８０のカバー支持部材８１の軸受け８２に嵌め込まれることで、カバー支持部材８１に対して回転可能に支持される。そして、カバー部材９５０のフック９５４が右部基板支持部材６１のフック溝６３に嵌め込まれることで、画像表示ユニット５００および右部基板ユニット４０の後部を覆う状態に保持される。
【００７１】
〔遊技盤１１０の組み立て方法〕
以上のように構成された遊技盤１１０は以下に記すようにして組み立てられる。
先ず、可動役物１１５が固定された遊技板１１１の後部に、ベース部材２０が取付けられる。そして、ベース部材２０の後部に、補強部材３０が取付けられ、その後上部基板支持ユニット７０および右部基板支持ユニット６０、下部基板支持ユニット９０が取付けられる。そして、右部基板支持ユニット６０に右部基板ユニット４０が取付けられ、上部基板支持ユニット７０にランプ制御基板３２０Ｂが取付けられ、下部基板支持ユニット９０に遊技制御基板２００Ｂが取付けられる。右部基板支持ユニット６０に右部基板ユニット４０を取付けるにあたっては、右部基板ユニット４０を下方に移動させることによって、右部基板ユニット４０の右部基板保持部材５０の２つの回転軸５２を、それぞれ右部基板支持部材６１の軸受６２に嵌め込むことで行う。なお、ランプ制御基板３２０Ｂが取り付けられた状態の上部基板支持ユニット７０をベース部材２０に取り付けてもよい。また、遊技制御基板２００Ｂが取り付けられた状態の下部基板支持ユニット９０を補強部材３０に取り付けてもよい。
【００７２】
そして、各種制御基板が取付けられた後に、画像表示ユニット５００が組み付け固定される。組み立てる者は、画像表示ユニット５００を組み付ける際には、先ず、右部基板ユニット４０を右部基板支持ユニット６０に対して回転軸５２回りに回転させる。右部基板ユニット４０を回転させる際には、右部基板ユニット４０の右部基板保持部材５０の上右部に設けられた左後方突出部５９の右方屈曲部５９ａを持ち、後方に（後方から見た図５では手前側に）引けばよい。そして、右部基板保持部材５０の左後方突出部５９が、ベース部材２０の右側面（図５では左側面）よりも右側（図５では左側）に位置するまで回転させる。
【００７３】
図１３は、右部基板支持ユニット６０に対して右部基板ユニット４０を回転させている状態を示す図である。図１３（ａ）は斜め後方から見た斜視図であり、図１３（ｂ）は後方から見た平面図である。図１４は、右部基板ユニット４０を回転させていない状態を示す図である。図１４（ａ）は斜め後方から見た斜視図であり、図１４（ｂ）は後方から見た平面図である。なお、図１３および図１４においては、右部基板ユニット４０を分かり易く示すために、下部基板支持ユニット９０および遊技制御基板２００Ｂを省略して示している。
【００７４】
図１３（ｂ）に示すように、右部基板ユニット４０を回転させた状態を後方から見ると、補強部材３０の右前方突出部３２の左方屈曲部３２ｂおよび左前方突出部３３の右方屈曲部３３ｂが見えている。
組み立てる者は、右部基板ユニット４０を回転させた状態で、ベース部材２０の後部の開口部から画像表示ユニット５００を挿入し、画像表示ユニット５００の収納ケース６５０に設けられた２つの締付部６５１を、それぞれ補強部材３０の右前方突出部３２の左方屈曲部３２ｂ、左前方突出部３３の右方屈曲部３３ｂに載せる。そして、ボルトなどの固定部材を、左方屈曲部３２ｂに形成された複数の雌ネジ３２ｃおよび右方屈曲部３３ｂに形成された複数の雌ネジ３３ｃに締め付けることで、画像表示ユニット５００を補強部材３０に固定する。
【００７５】
画像表示ユニット５００が組み付けられた後、カバー支持ユニット８０を取り付けるとともに、カバー部材９５０の２つの回転軸９５３を、それぞれカバー支持ユニット８０に設けられた軸受け８２に嵌め込む。そして、カバー部材９５０を、この回転軸９５３回りに回転させて、フック９５４を、右部基板支持部材６１に形成されたフック溝６３に嵌め込む。
このようにして遊技盤１１０は組み立てられる。
なお、遊技板１１１とベース部材２０とを結合するタイミングは限定されない。例えば、画像表示ユニット５００およびカバー部材９５０が取り付けられた状態の支持ユニット１０を、可動役物１１５が固定された遊技板１１１に取り付けてもよい。
【００７６】
なお、上述した組み立て方法では、右部基板支持ユニット６０に右部基板ユニット４０を組み付けた後に画像表示ユニット５００を組み付けているが特にかかる態様に限定されない。右部基板ユニット４０を組み付ける前に画像表示ユニット５００を組み付けてもよい。例えば、可動役物１１５が固定された遊技板１１１の後部に、ベース部材２０、補強部材３０、上部基板支持ユニット７０、右部基板支持ユニット６０、下部基板支持ユニット９０を取付けた後、右部基板ユニット４０を取り付ける前に画像表示ユニット５００を取り付けてもよい。
【００７７】
このように、本実施の形態に係るパチンコ遊技機１００においては、遊技領域１１１ａを形成する遊技板１１１と、遊技板１１１に直接的または間接的に取り付けられて遊技に関連する画像を表示する画像表示部１１４と、遊技板１１１に対して画像表示部１１４と同じ側に位置するように遊技板１１１に直接的または間接的に取り付けられて遊技に関連する制御を行う制御基板の一例としての中継基板４１と、を備える。言い換えれば、本実施の形態に係るパチンコ遊技機１００は、遊技領域１１１ａを有する遊技盤１１０を備えたパチンコ遊技機１００であって、遊技に関連する画像を表示する画像表示部１１４と、遊技領域１１１ａに対して画像表示部１１４と同じ側に配置されて遊技に関連する制御を行う中継基板４１と、を備える。そして、中継基板４１は、遊技板１１１の板面（遊技盤１１０の盤面）に略直交する方向に遊技領域１１１ａに対して画像表示部１１４よりも離れた位置において、画像表示部１１４と重層となる位置と重層とならない位置とに移動可能に遊技盤１１０に組み付けられている。言い換えれば、中継基板４１は、遊技盤１１０に画像表示部１１４が組み付けられるときの画像表示部１１４の移動経路を開閉可能に遊技盤１１０に組み付けられる。かかる構成により、右部基板ユニット４０を遊技盤１１０に組み付ける前に画像表示部１１４を組み付けることと、右部基板ユニット４０を遊技盤１１０に組み付けた後に画像表示部１１４を組み付けることとを実現可能にしている。なお、以下では、図１３（ｂ）に示すように右部基板ユニット４０を回転させた状態を「開状態」と称し、図１４（ｂ）に示すように右部基板ユニット４０を回転させていない状態を「閉状態」と称す。
【００７８】
そして、右部基板ユニット４０を遊技盤１１０に組み付けた後に画像表示部１１４を組み付け可能にしていることで以下の利点を有する。すなわち、遊技板１１１に画像表示ユニット５００を取り付ける前に、遊技盤１１０が有する制御基板であって、画像表示ユニット５００に含まれる制御基板（演出制御基板３００Ｂ、画像制御基板３１０Ｂなど）以外の制御基板が全て支持ユニット１０に取り付けられている。かかる場合、画像表示ユニット５００を組み付けたら、画像表示ユニット５００に含まれる制御基板と、支持ユニット１０に組み付けられている制御基板とを接続するハーネスの端部に接続されたコネクタを差し込み、カバー支持ユニット８０およびカバー部材９５０を取り付けるだけでよい。したがって、例えば、画像表示ユニット５００が取り付けられていない状態まで遊技盤１１０を組み立てる場所（以下、「第１の場所」と称す。）と、画像表示ユニット５００を組み込む場所（以下、「第２の場所」と称す。）とを別々にすることが可能となる。その結果、第２の場所においては、画像表示ユニット５００を組み立てる工程と、組み立てた画像表示ユニット５００を、先に第１の場所にて組み立てられていた画像表示ユニット５００が取り付けられていない状態の遊技盤１１０に組み込む工程とを連続させることが可能となる。そして、画像表示ユニット５００を遊技盤１１０に組み込んだら基板同士を接続するためのコネクタを差し込み、カバー支持ユニット８０およびカバー部材９５０を取り付けるだけで遊技盤１１０を完成させることができる。また、第１の場所において、画像表示ユニット５００が取り付けられていない状態の遊技盤１１０に設けられる各種制御基板に接続する部材の動作確認を行うことが可能となる。
【００７９】
上述したように本実施の形態に係る遊技盤１１０においては、右部基板支持ユニット６０に対して右部基板ユニット４０を回転可能に取り付けているが、右部基板ユニット４０が回転可能な角度は以下のように定めるとよい。すなわち、右部基板ユニット４０が回転可能な角度は、画像表示ユニット５００の収納ケース６５０に設けられた２つの締付部６５１を、補強部材３０の右前方突出部３２の左方屈曲部３２ｂ、左前方突出部３３の右方屈曲部３３ｂに載せ得る程度に遊技盤１１０の後部を開放する角度以上であることが必要である。また、右部基板ユニット４０が回転可能な角度は、回転した右部基板ユニット４０が、遊技板１１１の板面に直交する方向に遊技板１１１あるいはベース部材２０と重ならなくなる角度よりも小さい角度とするとよい。つまり、後方から見た場合に、回転した右部基板ユニット４０が、遊技板１１１あるいはベース部材２０よりも外側に出っ張らない角度とするとよい。これにより、画像表示ユニット５００を組み付ける際に回転させた右部基板ユニット４０が他の作業者の邪魔となることを抑制することができる。
【００８０】
これと関連して、本実施の形態に係る遊技盤１１０においては、右部基板ユニット４０を回転させていない閉状態で、画像表示ユニット５００を支持ユニット１０（補強部材３０）に固定するための領域が空域となるように構成されている。つまり、閉状態で、画像表示ユニット５００を支持ユニット１０（補強部材３０）に固定するための領域が空域となるように、中継基板４１は遊技盤１１０に組み付けられている。また、閉状態で、画像表示ユニット５００を支持ユニット１０（補強部材３０）に固定するための領域が空域となるように、右部基板支持部材６１には左側面６１ａから凹んだ凹部６１ｂが形成され、右部基板保持部材５０には右側面５７から凹んだ左方向凹部５７ａが形成され、右部基板カバー４５には、右側面４６から左方向に凹んだ左方向凹部４６ａが形成されている。そして、これら右部基板支持部材６１の凹部６１ｂ、右部基板保持部材５０の左方向凹部５７ａおよび右部基板カバー４５の左方向凹部４６ａにて形成された領域を、画像表示ユニット５００を支持ユニット１０（補強部材３０）に固定するための工具（例えばドライバ）が通過可能な大きさに形成されている。付言すると、図１４に２点鎖線で示すように、閉状態でも、画像表示ユニット５００を支持ユニット１０（補強部材３０）に固定するための工具が通る領域が空域となるように、右部基板ユニット４０および右部基板支持ユニット６０が構成されている。
【００８１】
したがって、本実施の形態に係る遊技盤１１０によれば、ベース部材２０の後部の開口部から画像表示ユニット５００を挿入し、画像表示ユニット５００の収納ケース６５０に設けられた２つの締付部６５１を、それぞれ補強部材３０の左方屈曲部３２ｂ、右方屈曲部３３ｂに載せるために右部基板ユニット４０を開状態にすればよく、画像表示ユニット５００を補強部材３０に締め付ける際には右部基板ユニット４０を閉じていてもよい。これにより、画像表示ユニット５００を組み付ける者の隣の作業者の邪魔にならないように右部基板ユニット４０の回転角度を定めたとしても、画像表示ユニット５００を補強部材３０に締め付けることが可能となる。
【００８２】
本実施の形態に係る遊技盤１１０では、上述したように開閉される右部基板ユニット４０において、中継基板４１の表面である後面の一部を覆う右部基板カバー４５が設けられている。これにより、右部基板ユニット４０が右部基板支持ユニット６０に取り付けられた後に、画像表示ユニット５００を組み付ける者などが中継基板４１に実装された部品に触れることにより、中継基板４１から部品が脱落することを抑制することができる。
【００８３】
ただ、右部基板カバー４５には、中継基板４１に実装されたコンデンサ４２を貫通させる貫通孔４９がコンデンサ４２に対応する位置に形成され、右部基板カバー４５を右部基板保持部材５０に取付けた状態で、この貫通孔４９（図９参照）からコンデンサ４２の先端が突出する（図１４（ａ）参照）。言い換えれば、右部基板カバー４５は、中継基板４１に実装されたコンデンサ４２を覆わずに表面から突出させるように形成されている。これにより、コンデンサ４２を覆うように形成されている場合よりも、右部基板カバー４５の位置を前方にすることができるので、遊技盤１１０の前後方向の大きさを小さくすることができる。
【００８４】
また、右部基板カバー４５は、中継基板４１に実装された複数の雌型コネクタ４３を覆わないように形成されている。そして、中継基板４１に実装された複数の雌型コネクタ４３は、中継基板４１の板面に直交する方向に雄型コネクタが差し込まれるように実装されているのではなく、中継基板４１の板面に平行な方向に差し込まれるように実装されている。これらにより、複数の雌型コネクタ４３を覆うように形成されている場合および雌型コネクタ４３が板面に直交する方向に雄型コネクタが差し込まれるように実装されている場合よりも右部基板カバー４５の位置を前方にすることができるので、遊技盤１１０の前後方向の大きさを小さくすることができる。
【００８５】
また、上述した実施の形態の構成によれば、画像表示ユニット５００の液晶表示部８００のインチサイズよりも大きな表示画面の、液晶やＥＬ（Electro-Luminescence）のディスプレイを主な構成要素とし、図柄表示ユニット６００を構成要素としない平板状の画像表示部１１４（以下、「他の画像表示部１００１」と称す。）を採用する場合にも、その大画面の画像表示部１１４を取り付けることができる。他の画像表示部１００１は１９インチサイズであることを例示することができる。以下に、他の画像表示部１００１と、基板ユニット５１０とから構成される他の画像表示ユニット１０００を組み付ける態様について説明する。
【００８６】
図１５は、他の画像表示ユニット１０００を組み付ける態様を示す図である。
先ず、ベース部材２０の後部に、補強部材３０と、上部基板支持ユニット７０と、右部基板支持ユニット６０とを取り付けるとともに、右部基板支持ユニット６０に右部基板ユニット４０を、上部基板支持ユニット７０にランプ制御基板３２０Ｂを取り付ける。その後、補強部材３０の上部外屈曲部３５と下部外屈曲部３６との間に他の画像表示部１００１を挟み込みながら他の画像表示ユニット１０００を、左から右へ（図１５では右から左へ）スライドさせることで取り付ける。その後、ボルトなどの固定部材を、補強部材３０に形成された複数の雌ネジ３３ｃに締め付けることで、他の画像表示ユニット１０００を補強部材３０に固定すればよい。
なお、画像表示ユニット５００の液晶表示部８００のインチサイズよりも大きな表示画面の他の画像表示部１００１を用いると、遊技制御基板２００Ｂを配置するスペースがなくなるが、図１５に示したように、遊技制御基板２００Ｂは、ベース部材２０の後部の下部に取り付ければよい。
【００８７】
ところで、上述した実施の形態においては、開状態と閉状態との間で移動する右部基板ユニット４０が有する制御基板は中継基板４１であるが、特にかかる態様に限定されず、ランプ制御基板３２０Ｂなどの他の制御基板であってもよい。また、画像表示ユニット５００が有する制御基板は演出制御基板３００Ｂおよび画像制御基板３１０Ｂであるが、特にかかる態様に限定されず、他の制御基板であってもよい。また、上部基板支持ユニット７０、下部基板支持ユニット９０に取り付けられているのは、それぞれランプ制御基板３２０Ｂ、遊技制御基板２００Ｂであるが、特にかかる態様に限定されず、他の制御基板であってもよい。
【００８８】
また、上述した実施の形態においては、画像表示ユニット５００の後方に配置される制御基板が取り付けられている右部基板ユニット４０を、上下方向を回転中心方向とする回転軸５２回りに回転させる構成であるが、特にかかる態様に限定されない。例えば、画像表示ユニット５００の後方に配置される制御基板が取り付けられている物を、左右方向を回転中心方向とする回転軸回りに回転させる構成でもよい。左右方向を回転中心方向とする回転軸は、画像表示ユニット５００の上方に配置されていてもよいし、下方に配置されていてもよい。
【００８９】
なお、上述した実施の形態では、例えば右部基板ユニット４０および画像表示ユニット５００の組み付け態様などをパチンコ遊技機１００に適用した例を用いて説明したが、スロットマシンなどの、パチンコ遊技機以外の遊技機に適用しても構わない。
【符号の説明】
【００９０】
１０…支持ユニット、２０…ベース部材、３０…補強部材、４０…右部基板ユニット、４１…中継基板、４５…右部基板カバー、５０…右部基板保持部材、５２…回転軸、６０…右部基板支持ユニット、７０…上部基板支持ユニット、８０…カバー支持ユニット、１００…パチンコ遊技機、１１０…遊技盤、１１１…遊技板、１１４…画像表示部、５００…画像表示ユニット、９５０…カバー部材
【図１】
2014193198.tif 000003
【図２】
2014193198.tif 000004
【図３】
2014193198.tif 000005
【図４】
2014193198.tif 000006
【図５】
2014193198.tif 000007
【図６】
2014193198.tif 000008
【図７】
2014193198.tif 000009
【図８】
2014193198.tif 000010
【図９】
2014193198.tif 000011
【図１０】
2014193198.tif 000012
【図１１】
2014193198.tif 000013
【図１２】
2014193198.tif 000014
【図１３】
2014193198.tif 000015
【図１４】
2014193198.tif 000016
【図１５】
2014193198.tif 000017